Podtech/llm-jp-corpus-v4-ja_patent huggingface dataset:
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
加速度センサと、当該加速度センサの情報に基づいて車両用灯具の照射方向を制御する制御部と、を備えるＥＣＵであって、
車速が０となった後、加速度センサの検出値の単位時間あたりの変化量が所定量以下となった状態における前記加速度センサの検出値である第１検出値と、前記第１検出値の取得後における車両停止中の前記加速度センサの検出値である第２検出値とに応じて車両用灯具の光軸を調節する制御を、イグニッションオンが継続している状態において実行することを含む、ＥＣＵ。
【請求項２】
加速度センサと、当該加速度センサの情報に基づいて車両用灯具の照射方向を制御する制御部と、を備えるＥＣＵであって、
車速が０となってから所定時間経過後の前記加速度センサの検出値である第１検出値と、前記第１検出値の取得後における車両停止中の前記加速度センサの検出値である第２検出値とに応じて車両用灯具の光軸を調節する制御を、イグニッションオンが継続している状態において実行することを含む、ＥＣＵ。
【請求項３】
前記ＥＣＵは、
（１）前記第１検出値と前記第２検出値との差分に応じて前記制御を実行するか、
（２）車両姿勢角度に関する基準値を保持しており、前記車両姿勢角度に関する基準値と前記第１検出値との差分に応じた情報と、前記第２検出値とに応じて前記制御を実行するか、
（３）車両の発進前の前記加速度センサの検出値である第３検出値と前記第１検出値との差分に応じた情報と、前記第２検出値とに応じて前記制御を実行する、
請求項１または２に記載のＥＣＵ。
【請求項４】
前記（１）の方法において、前記ＥＣＵは車両姿勢角度に関する基準値を保持しており、前記差分と、前記車両姿勢角度に関する基準値とに応じて、前記制御を実行する、
請求項３に記載のＥＣＵ。
【請求項５】
イグニッションオンが継続している状態において、加速度センサの情報に基づいて車両用灯具の照射方向が制御される、照射方向制御方法であって、
車速が０となった後、加速度センサの検出値の単位時間あたりの変化量が所定量以下となった状態における前記加速度センサの検出値である第１検出値を取得するステップと、
前記第１検出値の取得後における車両停止中の前記加速度センサの検出値である第２検出値を取得するステップと、
前記第１検出値と前記第２検出値とに応じて車両用灯具の光軸を調節するステップと、を含む、照射方向制御方法。
【請求項６】
イグニッションオンが継続している状態において、加速度センサの情報に基づいて車両用灯具の照射方向が制御される、照射方向制御方法であって、
車速が０となってから所定時間経過後の前記加速度センサの検出値である第１検出値を取得するステップと、
前記第１検出値の取得後における車両停止中の前記加速度センサの検出値である第２検出値を取得するステップと、
前記第１検出値と前記第２検出値とに応じて車両用灯具の光軸を調節するステップと、を含む、照射方向制御方法。
【請求項７】
請求項５または６に記載の照射方向制御方法における各ステップをＥＣＵに実行させる、制御プログラム。
【手続補正２】
【補正対象書類名】明細書
【補正対象項目名】発明の名称
【補正方法】変更
【補正の内容】
【発明の名称】ＥＣＵ、照射方向制御方法および制御プログラム
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
セラミックコアの製造方法であって、
Ａｌ２Ｏ３−シロキサン系のスラリーを使い捨てダイに注入するステップであって、前記スラリーは、セラミック粒子、バインダー、および炭素繊維を含み、前記炭素繊維は、スラリーの注入の流れに沿って配向された、前記注入するステップと、
前記シロキサン系のスラリーの中のシリコンを、第１の温度および第１の時間での第１の焼成ステップで非晶質シリカに変換するステップと、
前記炭素繊維を除去すると共に第２の温度および第２の時間での第２の焼成ステップにおいて、前記非晶質シリカと過剰なＡｌ２Ｏ３とをムライトに変換するステップであって、前記第２の温度は前記第１の温度よりも高い、前記変換するステップと、
を含む方法。
【請求項２】
前記第１の温度は、２５０°Ｃと７５０°Ｃとの間である、請求項１に記載の方法。
【請求項３】
前記第２の温度は、１０５０°Ｃと１７００°Ｃとの間である、請求項１に記載の方法。
【請求項４】
前記第１の温度は、２５０°Ｃと７５０°Ｃとの間であり、前記第２の温度は、１０５０°Ｃと１７００°Ｃとの間である、請求項１に記載の方法。
【請求項５】
前記第１の時間は、１０時間と２０時間との間であり、前記第２の時間は、１時間と２４時間との間である、請求項４に記載の方法。
【請求項６】
前記第１の時間は、１０時間と２０時間との間である、請求項１に記載の方法。
【請求項７】
前記第２の時間は、１時間と２４時間との間である、請求項１に記載の方法。
【請求項８】
前記シリコンを前記非晶質シリカに変換するステップよりも前に、前記スラリーを、２５°Ｃと１１０°Ｃとの間の硬化温度及び１時間と２４時間との硬化時間で、硬化するステップをさらに含む、請求項１に記載の方法。
【請求項９】
前記セラミックコアの少なくとも一部は、タービンブレードの内面を画定するように、構成されている、請求項１に記載の方法。
【請求項１０】
前記スラリーは、前記スラリーの２０重量％を超えない濃度の前記炭素繊維を含む、請求項１に記載の方法。
【請求項１１】
前記炭素繊維は２００ミクロン以下の平均直径を有する、請求項１に記載の方法。
【請求項１２】
前記炭素繊維は１００ミクロン以下の平均直径を有する、請求項１に記載の方法。
【請求項１３】
前記炭素繊維は、１：１より大きく１００：１までのアスペクト比を有する、請求項１に記載の方法。
【請求項１４】
前記炭素繊維は、１０：１より大きく１００：１までのアスペクト比を有する、請求項１に記載の方法。
【請求項１５】
前記使い捨てダイを除去するステップをさらに含む、請求項１に記載の方法。
【請求項１６】
前記第１の時間は、前記第２の時間より長い又は前記第２の時間に等しい、請求項１に記載の方法。
【請求項１７】
インベストメント鋳造用のセラミックコアを製造する方法であって、
硬化された組成物を含む使い捨てダイを加熱することにより、セラミック粒子、バインダー、および炭素繊維のＡｌ２Ｏ３−シロキサン系のスラリーから形成された前記硬化された組成物に、整列した空隙を形成するステップを含み、
前記使い捨てダイを加熱することでは、前記炭素繊維を、酸化し且つ前記硬化した組成物から実質的に除去して、前記整列した空隙を残す、
方法。
【請求項１８】
前記捨てダイを加熱することは、前記硬化された組成物において、非晶質シリカと過剰なＡｌ２Ｏ３とをムライトに変換することをさらに含む、請求項１７に記載の方法。
【請求項１９】
前記整列した空隙は、１０５０°Ｃと１７００°Ｃとの間の温度で、形成される、請求項１７に記載の方法。
【請求項２０】
前記捨てダイを加熱することは、１時間と２４時間との間の時間及び１０５０°Ｃと１７００°Ｃとの間の温度で行われる、請求項１７に記載の方法。
【手続補正２】
【補正対象書類名】明細書
【補正対象項目名】発明の名称
【補正方法】変更
【補正の内容】
【発明の名称】セラミックコアの製造方法及びインベストメント鋳造用セラミックコアの製造方法
【手続補正書】
【提出日】令和3年9月29日(2021.9.29)
【手続補正１】
【補正対象書類名】特許請求の範囲
【補正対象項目名】請求項２
【補正方法】変更
【補正の内容】
【請求項２】
前記洗浄管（８ａ）の下方にろ液受けトラフ（９）を設け、
非洗浄時に洗浄ノズル（１１）から洗浄液を噴射してろ液受けトラフ（９）を洗浄する
ことを特徴とする請求項１に記載のドラム型固液分離装置の洗浄方法。
【手続補正２】
【補正対象書類名】明細書
【補正対象項目名】００２１
【補正方法】変更
【補正の内容】
【００２１】
また、スクリーン４から目抜けした汚泥が落下し、ろ液受けトラフ９に堆積する場合もあるが、洗浄ノズル１１がろ液受けトラフ９の方向に向いている状態で洗浄液を噴射すれば、ろ液受けトラフ９に堆積した汚泥を洗い流し、洗浄液と共に汚泥を排出することができる。
【手続補正３】
【補正対象書類名】図面
【補正対象項目名】図４
【補正方法】変更
【補正の内容】
【図４】
2021062323.tif 000001
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
遊技者が操作可能な所定の発射ハンドルと、
前記発射ハンドルの操作によって発射位置から発射された遊技球が流下可能な遊技領域を有する遊技盤と、
前記遊技領域を流下した遊技球を回収して再び前記発射位置に供給する循環機構と、
前記循環機構内を流通する遊技球に接触することで該遊技球の表面をクリーニングする球クリーニング用部材と、を備え、
前記遊技盤に設けられる始動口に遊技球が入賞することで抽選を行い、該抽選の結果に基づいて当り遊技を実行可能な封入球式遊技機において、
特定条件の成立に基づいて、前記発射ハンドルの操作によらずに自動で遊技球を発射する自動発射手段と、
前記自動発射手段により前記発射ハンドルの操作によらずに自動で遊技球が発射される場合に、主たる遊技の進行を停止する遊技進行停止手段と、
を備えることを特徴とする封入球式遊技機。
【手続補正２】
【補正対象書類名】明細書
【補正対象項目名】０００２
【補正方法】変更
【補正の内容】
【０００２】
パチンコ遊技に使用する遊技球が循環する循環経路を有する封入球式パチンコ遊技機（以下、単に遊技機という）では、遊技機の内部に一定数の遊技球が封入された状態で遊技が行われる（特許文献１〜３）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
しかしながら、従来と同様の封入球式遊技機では、封入球に関する不具合について改善の余地があった。
【手続補正１３】
【補正対象書類名】明細書
【補正対象項目名】００１４
【補正方法】変更
【補正の内容】
【００１４】
そこで、本発明が解決しようとする課題は、従来に比して封入球に関する不具合を解消する封入球式遊技機を提供することにある。
【手続補正１４】
【補正対象書類名】明細書
【補正対象項目名】００１５
【補正方法】変更
【補正の内容】
【００１５】
本発明は、
遊技者が操作可能な所定の発射ハンドルと、
前記発射ハンドルの操作によって発射位置から発射された遊技球が流下可能な遊技領域を有する遊技盤と、
前記遊技領域を流下した遊技球を回収して再び前記発射位置に供給する循環機構と、
前記循環機構内を流通する遊技球に接触することで該遊技球の表面をクリーニングする球クリーニング用部材と、を備え、
前記遊技盤に設けられる始動口に遊技球が入賞することで抽選を行い、該抽選の結果に基づいて当り遊技を実行可能な封入球式遊技機において、
特定条件の成立に基づいて、前記発射ハンドルの操作によらずに自動で遊技球を発射する自動発射手段（例えば、段落０１６６等参照）と、
前記自動発射手段により前記発射ハンドルの操作によらずに自動で遊技球が発射される場合に、主たる遊技の進行を停止する遊技進行停止手段（例えば、段落０１７２等参照）と、
を備えることを特徴とする。
【手続補正１５】
【補正対象書類名】明細書
【補正対象項目名】００１６
【補正方法】変更
【補正の内容】
【００１６】
本発明によれば、従来に比して封入球に関する不具合を解消可能である。
【手続補正書】
【提出日】令和3年6月29日(2021.6.29)
【手続補正１】
【補正対象書類名】特許請求の範囲
【補正対象項目名】請求項１
【補正方法】変更
【補正の内容】
【請求項１】
ロボットカテーテルシステムであって、
１つ以上のモータが内部に配置されたモータ駆動ベース部（２２，３０２）と、
該モータ駆動ベース部（２２，３０２）と連結されるように構成されたカセット（２４，３００）であって、前端、後端、第１チャンネル（３６４）、及び第２チャンネル（３６６）を有する筐体（４２，３１６）を含むカセット（２４，３００）とを含み、
前記カセット（２４，３００）は、
前記第１チャンネル（３６４）を通るガイドワイヤ（５０，３０１）と解放可能に係合して軸方向移動を与えるように構成された係合表面（４２６，４２８）の第１の対と、
前記第２チャンネル（３６６）を通るカテーテル装置（５４，３０３）と解放可能に係合して軸方向移動を与えるように構成された係合表面（４７２，４７４）の第２の対とを含んでおり、
前記ガイドワイヤ（５０，３０１）は、前記筐体（４２，３１６）の後端から延伸して前記筐体（４２，３１６）の前端から出て行き、
前記カテーテル装置（５４，３０３）は、前記ガイドワイヤ（５０，３０１）と集合して前記筐体（４２，３１６）の前端から出て行き、
前記第２チャンネル（３６６）は、前記第１チャンネル（３６４）に対して角度を付けて配置されている、ロボットカテーテルシステム。
【手続補正２】
【補正対象書類名】明細書
【補正対象項目名】０００４
【補正方法】変更
【補正の内容】
【０００４】
発明の一実施形態は、ロボットカテーテルシステムに係り、該ロボットカテーテルシステムは、１つ以上のモータが内部に配置されたモータ駆動ベース部と、モータ駆動ベース部と連結されるように構成されたカセットであって、前端、後端、第１チャンネル、及び第２チャンネルを有する筐体を含むカセットとを含む。そのカセットは、第１チャンネルを通るガイドワイヤと解放可能に係合して軸方向移動を与えるように構成された係合表面の第１の対と、第２チャンネルを通るカテーテル装置と解放可能に係合して軸方向移動を与えるように構成された係合表面の第２の対とを含んでいる。ガイドワイヤは、筐体の後端から延伸して筐体の前端から出て行き、カテーテル装置は、ガイドワイヤと集合して筐体の前端から出て行く。第２チャンネルは、第１チャンネルに対して角度を付けて配置されている。
発明の一実施形態において、カテーテル駆動カセットは、ベース部と取り外し可能に連結されて構成される。前記カセットは、長手方向軸に沿ってガイドワイヤを駆動するように構成された第１の軸駆動機構と、長手方向軸に沿って作動カテーテルを駆動するように構成される第２の軸駆動機構と、長手方向軸を中心にガイドワイヤを回転するように構成される第１の回転駆動機構とを備える。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
埋め込み型医療器具のための展開システムであって、
より大きい展開直径及び送達用のより小さい圧縮直径を有する拡張可能な医療器具、
前記より小さい圧縮送達直径において前記医療器具を包囲している第一のシース、ここで、前記第一のシースは、それ自体において裏返されており、そして、前記第一のシースの外側部分は前記第一のシースの内側部分を包囲している、及び
前記第一のシースの内側部分と外側部分との間に配置された第二のシース、を含み、
ここで、前記第一のシース及び前記第二のシースは、前記第一のシースに対する第一の引張力及び前記第二のシースに対する第二の引張力を含む２つの別個の引張力を課すことにより取り外すことができる、展開システム。
【請求項２】
前記医療器具は自己拡張性である、請求項１記載の展開システム。
【請求項３】
前記第一のシースの外側部分は前記第一のシースの内側部分を軸方向に包囲している、請求項１又は２記載の展開システム。
【請求項４】
前記２つの別個の引張力は２つの異なる速度での前記第一のシース及び前記第二のシースの取り外しを生じさせる、請求項１〜３のいずれか１項に記載の展開システム。
【請求項５】
前記２つの異なる速度は可変示差速度である、請求項４記載の展開システム。
【請求項６】
前記医療器具は生体活性コーティングを含み、そして、前記第一のシースは前記医療器具の送達の間に前記生体活性コーティングを保護するように作用する、請求項1〜４のいずれか1項に記載の展開システム。
【請求項７】
前記生体活性コーティングは薬剤コーティングを含む、請求項６に記載の展開システム。
【請求項８】
前記第一のシースはらせん状のプリーツを含む、請求項１〜７のいずれか1項に記載の展開システム。
【請求項９】
前記医療器具は限定された軸方向強さを有し、そして前記第一のシースにより提供された、増大した軸方向強さにより送達の間の損傷から保護される、請求項１〜８のいずれか1項に記載の展開システム。
【請求項１０】
前記第一のシースと前記第二のシースとの相互作用は、前記埋め込み型医療器具の長さから展開力を切り離す役割を担う、請求項１〜９のいずれか1項に記載の展開システム。
【請求項１１】
前記第二のシースは、前記第二の引張力を課したときに解けるフィラメントを含む、請求項１〜１０のいずれか1項に記載の展開システム。
【請求項１２】
前記第一のシースは、前記第一の引張力を課したときに解けるフィラメントを含む、請求項１〜１１のいずれか1項に記載の展開システム。
【請求項１３】
前記シースの外側部分は、前記医療器具の第一の末端から少なくとも第二の末端まで前記第二のシースを包囲する、請求項１〜１２のいずれか1項に記載の展開システム。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、演出ブロックを選択する演出ブロック選択部と、
前記演出ブロック選択部によって選択された前記演出ブロックに基づいて前記演出を実行するための手順が定義されたスケジューラーデータを取得し、取得した前記スケジューラーデータに基づいて演出装置を制御するための処理を実行する演出実行部と、
を備え、
前記スケジューラーデータは、前記演出装置を制御可能なファンクションを含んで構成され、
前記ファンクションには、前記スケジューラーデータを実行する演出実行部を指定して実行させることが可能なリクエストファンクションが含まれ、
前記スケジューラーデータに前記リクエストファンクションを複数指定することによって、当該リクエストファンクションに指定されたスケジューラーデータを並列して実行可能であり、
前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、
前記演出ブロック選択部は、前記分割された期間に対応する単位期間分割演出ブロックとともに、複数の前記所定の期間に跨る前記非単位期間演出ブロックを選択可能とし、
前記演出実行部は、前記分割された期間に対応する単位期間分割演出ブロックと並行して、前記非単位期間演出ブロックを実行可能とする
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、演出ブロックを選択する演出ブロック選択部と、
前記演出ブロック選択部によって選択された前記演出ブロックに基づいて前記演出を実行するための手順が定義されたスケジューラーデータを取得し、取得した前記スケジューラーデータに基づいて演出装置を制御するための処理を実行する演出実行部と、
を備え、
前記スケジューラーデータは、前記演出装置を制御可能なファンクションを含んで構成され、
前記ファンクションには、前記スケジューラーデータを実行する演出実行部を指定して実行させることが可能なリクエストファンクションが含まれ、
前記スケジューラーデータに前記リクエストファンクションを複数指定することによって、当該リクエストファンクションに指定されたスケジューラーデータを並列して実行可能であり、
前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、
前記演出ブロック選択部は、前記分割された期間に対応する単位期間分割演出ブロックとともに、複数の前記所定の期間に跨る前記非単位期間演出ブロックを選択可能とし、
前記演出実行部は、前記分割された期間に対応する単位期間分割演出ブロックと並行して、前記非単位期間演出ブロックを実行可能とする
ことを特徴とする遊技機。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
取得条件の成立により取得された判定情報を保留記憶として記憶可能な記憶手段と、
前記記憶手段に記憶されている保留記憶に基づいて、第１保留情報と、前記第１保留情報とは表示態様が異なる第２保留情報とを表示可能な情報表示手段と、
遊技に関する所定の演出を実行する演出制御手段と、を備え、
前記演出制御手段は、
表示手段の所定位置で行われる主演出と、
前記主演出よりも前記表示手段の外縁方向の少なくとも一部の所定領域を使用して前記主演出を強調する強調演出と、を実行可能であり、
前記主演出は、
第１の主演出と、
前記第１の主演出の終了後であって、前記第１の主演出とは異なる表示態様である第１形態又は前記第１形態とは異なる第２形態で実行可能な第２の主演出と、を含み、
前記強調演出は、
前記第１の主演出に応じて、所定の第１期間において第１の表示態様を表示し、その後、所定の第２期間において、前記第１の表示態様と異なる第２の表示態様又は第３の表示態様を表示可能な第１演出と、
前記第２の主演出が前記第１形態で実行される場合には、所定の第３期間において第１の発光態様で表示する第２演出と、
前記第２の主演出が前記第２形態で実行される場合には、所定の第３期間において前記第１の発光態様と異なる第２の発光態様で表示する第３演出と、を含み、
前記情報表示手段は、
前記第１演出では、前記第１保留情報及び前記第２保留情報を表示可能とし、
前記第２演出と前記第３演出では、前記第２保留情報を表示する一方で、前記第１保留情報を非表示とし、
前記第１演出において前記第２の表示態様が表示された場合より、前記第３の表示態様が表示された場合の方が、前記第２形態で実行される前記第３演出が実行され易く、
図柄の変動表示が特別表示結果となる場合、第１の組み合わせ態様で表示される場合より、前記第１の組み合わせ態様とは異なる第２の組み合わせ態様で表示される場合の方が、前記第２形態で実行される前記第３演出が実行され易いことを特徴とする遊技機。
【手続補正２】
【補正対象書類名】明細書
【補正対象項目名】０００７
【補正方法】変更
【補正の内容】
【０００７】
本発明は以下の構成を有するものである。尚、参照符号は、本発明の理解促進の為に図面に図示した構成要素との対応関係の一例を示したものであり、本発明の技術的範囲を限定するものではない。
本発明の遊技機(1)は、取得条件の成立により取得された判定情報を保留記憶として記憶可能な記憶手段（メインＲＡＭ１１０ｃ）と、前記記憶手段に記憶されている保留記憶に基づいて、第１保留情報（例えば、図６７に示す保留アイコンＨ１１〜Ｈ１４，Ｈ２１〜Ｈ２４）と、前記第１保留情報とは表示態様が異なる第２保留情報（例えば、図６７に示す数字保留７０Ｅ，７０Ｆ）とを表示可能な情報表示手段（例えば、図６７に示す第１〜第４表示部７０Ｂ１〜７０Ｂ４、保留数表示領域７０Ｅ，７０Ｆ）と、遊技に関する所定の演出を実行する演出制御手段(演出制御基板１３０)と、を備え、前記演出制御手段は、表示手段(第１画像表示装置７０)の所定位置(例えば、中央領域を含む表示領域)で行われる主演出（例えば、図５２に示す図柄表示、キャラクタ表示、文字表示等による演出）と、前記主演出よりも前記表示手段の外縁方向の少なくとも一部の所定領域を使用して前記主演出を強調する強調演出（例えば、図５２に示すエフェクト画像、フラッシュ画像等による演出）と、を実行可能であり、前記主演出は、第１の主演出（例えば、図５３に示す擬似連続予告でのキャラによる演出、図５６に示すリーチ演出でのキャラによるバトル演出等）と、前記第１の主演出の終了後であって、前記第１の主演出とは異なる表示態様である第１形態（例えば、「ＳＵＰＥＲＢＯＮＵＳ」の文字画像）又は前記第１形態とは異なる第２形態（例えば、「ＢＯＮＵＳ」の文字画像）で実行可能な第２の主演出（大当たり演出での文字表示による演出）と、を含み、前記強調演出は、前記第１の主演出に応じて、所定の第１期間において第１の表示態様（例えば、擬似連演出での黄エフェクト画像、バトル演出での青エフェクト画像）を表示し、その後、所定の第２期間において、前記第１の表示態様と異なる第２の表示態様（例えば、擬似連演出での緑エフェクト画像、バトル演出での緑エフェクト画像）又は第３の表示態様（例えば、擬似連演出での赤エフェクト画像、バトル演出での虹エフェクト画像）を表示可能な第１演出（エフェクト画像表示）と、前記第２の主演出が前記第１形態（「ＳＵＰＥＲＢＯＮＵＳ」の文字画像）で実行される場合には、所定の第３期間において第１の発光態様（後光フラッシュＡ画像）で表示する第２演出（フラッシュ画像表示）と、前記第２の主演出が前記第２形態（「ＢＯＮＵＳ」の文字画像）で実行される場合には、所定の第３期間において前記第１の発光態様とは異なる第２の発光態様（後光フラッシュＣ画像）で表示する第３演出（フラッシュ画像表示）と、を含み、前記情報表示手段は、前記第１演出では、前記第１保留情報及び前記第２保留情報を表示可能とし、前記第２演出と前記第３演出では、前記第２保留情報を表示する一方で、前記第１保留情報を非表示し、前記第１演出において前記第２の表示態様（擬似連演出での緑エフェクト画像、バトル演出での緑エフェクト画像）が表示された場合より、前記第３の表示態様（擬似連演出での赤エフェクト画像、バトル演出での赤エフェクト画像）が表示された場合の方が、前記第２形態（「ＢＯＮＵＳ」の文字画像）で実行される前記第３演出（後光フラッシュＣ画像表示）が実行され易く、図柄の変動表示が特別表示結果となる場合、第１の組み合わせ態様（例えば、奇数図柄揃い）で表示される場合より、前記第１の組み合わせ態様とは異なる第２の組み合わせ態様（例えば、偶数図柄揃い）で表示される場合の方が、前記第２形態（「ＢＯＮＵＳ」の文字画像）で実行される前記第３演出（後光フラッシュＣ画像表示）が実行され易いことを特徴とする。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
ゲームとは異なる第一のコンテンツのプレイに関する予め設定された条件が満たされたときに、前記第一のコンテンツに対応するゲームである第二のコンテンツをプレイ可能にする制御部を備え、
前記制御部は、前記第一のコンテンツに予め設定された日時より前においては、前記第二のコンテンツをプレイ不能な状態とし、前記日時以後において前記条件が満たされたときに、前記第二のコンテンツをプレイ可能な状態とする、情報処理装置。
【請求項２】
前記制御部は、前記日時以後において前記第一のコンテンツがユーザにより視聴された場合に、前記第二のコンテンツを前記ユーザにプレイ可能な状態とする、請求項１に記載の情報処理装置。
【請求項３】
前記制御部は、前記日時より前の所定期間においては、前記第二のコンテンツをプレイ不能な状態でゲーム選択画面に表示させるとともに、前記日時以後においては、前記第二のコンテンツをプレイ可能な状態で前記ゲーム選択画面に表示させる、請求項１又は２に記載の情報処理装置。
【請求項４】
コンピュータを、
ゲームとは異なる第一のコンテンツのプレイに関する予め設定された条件が満たされたときに、前記第一のコンテンツに対応するゲームである第二のコンテンツをプレイ可能にする制御部として機能させ、
前記制御部は、前記第一のコンテンツに予め設定された日時より前においては、前記第二のコンテンツをプレイ不能な状態とし、前記日時以後において前記条件が満たされたときに、前記第二のコンテンツをプレイ可能な状態とする、プログラム。
【請求項５】
コンピュータが、ゲームとは異なる第一のコンテンツのプレイに関する予め設定された条件が満たされたときに、前記第一のコンテンツに対応するゲームである第二のコンテンツをプレイ可能にする制御処理を有し、
前記制御処理では、コンピュータが、前記第一のコンテンツに予め設定された日時より前においては、前記第二のコンテンツをプレイ不能な状態とし、前記日時以後において前記条件が満たされたときに、前記第二のコンテンツをプレイ可能な状態とする、情報処理方法。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
遊技に関する所定の演出を実行する演出制御手段を備えた遊技機において、
前記演出制御手段は、
表示手段の所定位置で行われる主演出と、
前記主演出よりも前記表示手段の外縁方向の少なくとも一部の所定領域を使用して前記主演出を強調する強調演出と、を実行可能であり、
前記主演出は、
演出の主体を第１形態又は前記第１形態と異なる第２形態で実行可能な第１の主演出と、
前記第１の主演出の終了後であって、前記第１の主演出とは異なる表示態様である第３形態又は前記第３形態と異なる第４形態で実行可能な第２の主演出と、を含み、
前記強調演出は、
前記第１の主演出に基づいて行われる第１の強調演出と、
前記第２の主演出に基づいて行われる第２の強調演出と、を含み、
前記第１の強調演出は、
前記第１の主演出が前記第１形態で実行される場合には、複数種類の強調演出のうち第１演出を実行可能であり、
前記第１の主演出が前記第２形態で実行される場合には、複数種類の強調演出のうち第２演出を実行可能であり、
前記第２の強調演出は、
前記第２の主演出が前記第３形態で実行される場合には、第３演出を実行し、
前記第２の主演出が前記第４形態で実行される場合には、第４演出を実行し、
前記第１演出が実行される場合より、前記第２演出が実行される場合の方が、前記第４形態で実行される前記第４演出が実行され易く、
図柄の変動表示が特別表示結果になる場合、第１の組み合わせ態様で表示される場合より、前記第１の組み合わせ態様とは異なる第２の組み合わせ態様で表示される場合の方が、前記第４形態で実行される前記第４演出が実行され易い、
ことを特徴とする遊技機。
【手続補正２】
【補正対象書類名】明細書
【補正対象項目名】０００７
【補正方法】変更
【補正の内容】
【０００７】
本発明は以下の構成を有するものである。尚、参照符号は、本発明の理解促進の為に図面に図示した構成要素との対応関係の一例を示したものであり、本発明の技術的範囲を限定するものではない。
本発明の遊技機(1)は、遊技に関する所定の演出を実行する演出制御手段(演出制御基板１３０)を備え、前記演出制御手段は、表示手段(第１画像表示装置７０)の所定位置（例えば、中央領域を含む表示領域）で行われる主演出（例えば、図５２に示す図柄表示、キャラクタ表示、文字表示等による演出）と、前記主演出よりも前記表示手段の外縁方向の少なくとも一部の所定領域を使用して前記主演出を強調する強調演出（例えば、図５２に示すエフェクト画像、フラッシュ画像等による演出）と、を実行可能であり、前記主演出は、演出の主体を第１形態（例えば、図５３に示す擬似連演出）又は前記第１形態と異なる第２形態（例えば、図５６に示すリーチ中のバトル演出）で実行可能な第１の主演出と、前記第１の主演出の終了後であって、前記第１の主演出とは異なる表示態様である第３形態（例えば、図６４に示す大当たり演出での「ＳＵＰＥＲＢＯＮＵＳ」の文字画像）又は前記第３形態と異なる第４形態（例えば、図６４に示す大当たり演出での「ＢＯＮＵＳ」の文字画像）で実行可能な第２の主演出と、を含み、前記強調演出は、前記第１の主演出に基づいて行われる第１の強調演出（例えば、図５３に示すエフェクト画像、図５６に示すエフェクト画像）と、前記第２の主演出に基づいて行われる第２の強調演出（例えば、図６４に示すフラッシュ画像）と、を含み、前記第１の強調演出は、前記第１の主演出が前記第１形態（擬似連演出）で実行される場合には、複数種類の強調演出（黄、緑、赤エフェクト画像）のうち第１演出（黄エフェクト画像）を実行可能であり、前記第１の主演出が前記第２形態（バトル演出）で実行される場合には、複数種類の強調演出（青、緑、赤、虹エフェクト画像）のうち第２演出（赤または虹エフェクト画像）を実行可能であり、前記第２の強調演出は、前記第２の主演出が前記第３形態（ＳＵＰＥＲＢＯＮＵＳの文字画像）で実行される場合には、第３演出（後光フラッシュＡ画像）を実行し、前記第２の主演出が前記第４形態（ＢＯＮＵＳの文字画像）で実行される場合には、第４演出（後光フラッシュＣ画像）を実行し、前記第１演出（擬似連演出での黄エフェクト画像）が実行される場合より、前記第２演出（バトル演出での赤エフェクト画像）が実行される場合の方が、前記第４形態（ＢＯＮＵＳの文字画像）で実行される前記第３演出（後光フラッシュＣ画像）が実行され易く、図柄の変動表示が特別表示結果になる場合、第１の組み合わせ態様（例えば、奇数図柄揃い）で表示される場合より、前記第１の組み合わせ態様とは異なる第２の組み合わせ態様（例えば、偶数図柄揃い）で表示される場合の方が、前記第４形態（ＢＯＮＵＳの文字画像）で実行される前記第４演出（後光フラッシュＣ画像）が実行され易いことを特徴とする。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
遊技に関する所定の演出を実行する演出制御手段を備えた遊技機において、
前記演出制御手段は、
表示手段の所定位置で行われる主演出と、
前記主演出よりも前記表示手段の外縁方向の少なくとも一部の所定領域を使用して前記主演出を強調する強調演出と、を実行可能であり、
前記主演出は、
演出の主体を第１形態又は前記第１形態と異なる第２形態で実行可能な第１の主演出と、
前記第１の主演出の終了後に前記第１の主演出とは異なる文字を含む表示態様である第３形態又は前記第３形態と異なる文字を含む表示態様である第４形態で実行可能な第２の主演出と、を含み、
前記強調演出は、
前記第１の主演出に基づいて行われる第１の強調演出と、
前記第２の主演出に基づいて行われる第２の強調演出と、を含み、
前記第１の強調演出は、
前記第１の主演出が前記第１形態で実行される場合には、複数種類の強調演出のうち第１演出を実行可能であり、
前記第１の主演出が前記第２形態で実行される場合には、複数種類の強調演出のうち第２演出を実行可能であり、
前記第２の強調演出は、
前記第２の主演出が前記第３形態で実行される場合には、第３演出を実行し、
前記第２の主演出が前記第４形態で実行される場合には、前記第３演出とは異なる第４演出を実行する、
ことを特徴とする遊技機。
【手続補正２】
【補正対象書類名】明細書
【補正対象項目名】０００７
【補正方法】変更
【補正の内容】
【０００７】
本発明は以下の構成を有するものである。尚、参照符号は、本発明の理解促進の為に図面に図示した構成要素との対応関係の一例を示したものであり、本発明の技術的範囲を限定するものではない。
本発明の遊技機(1)は、遊技に関する所定の演出を実行する演出制御手段(演出制御基板１３０)を備え、前記演出制御手段は、表示手段(第１画像表示装置７０)の所定位置（例えば、中央領域を含む表示領域）で行われる主演出（例えば、図５２に示す図柄表示、キャラクタ表示、文字表示等による演出）と、前記主演出よりも前記表示手段の外縁方向の少なくとも一部の所定領域を使用して前記主演出を強調する強調演出（例えば、図５２に示すエフェクト画像、フラッシュ画像等による演出）と、を実行可能であり、前記主演出は、演出の主体を第１形態（例えば、図５３に示す擬似連演出）又は前記第１形態と異なる第２形態（例えば、図５６に示すリーチ中のバトル演出）で実行可能な第１の主演出（例えば、図５３に示す図柄による演出、図５６に示すキャラクタによる演出）と、前記第１の主演出の終了後に前記第１の主演出とは異なる文字を含む表示態様である第３形態（例えば、図６４に示すＢＯＮＵＳの文字画像による演出）又は前記第３形態と異なる文字を含む表示態様である第４形態（例えば、図６４に示すＳＵＰＥＲＢＯＮＵＳの文字画像による演出）で実行可能な第２の主演出（文字を含む表示態様の大当たり種別報知演出）と、を含み、前記強調演出は、前記第１の主演出に基づいて行われる第１の強調演出（例えば、図５３に示すエフェクト画像、図５６に示すエフェクト画像）と、前記第２の主演出に基づいて行われる第２の強調演出（例えば、図６４に示すフラッシュ画像）と、を含み、前記第１の強調演出は、前記第１の主演出が前記第１形態（擬似連演出）で実行される場合には、複数種類の強調演出（黄、緑、赤エフェクト画像）のうち第１演出（擬似連演出での黄エフェクト画像）を実行可能であり、前記第１の主演出が前記第２形態（バトル演出）で実行される場合には、複数種類の強調演出（青、緑、赤、虹エフェクト画像）のうち第２演出（バトル演出での赤または虹エフェクト画像）を実行可能であり、前記第２の強調演出（フラッシュ画像）は、前記第２の主演出が前記第３形態（ＳＵＰＥＲＢＯＮＵＳの文字画像）で実行される場合には、第３演出（後光フラッシュＡ画像）を実行し、前記第２の主演出が前記第４形態（ＢＯＮＵＳの文字画像）で実行される場合には、前記第３演出とは異なる第４演出（後光フラッシュＣ画像）を実行することを特徴とする。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
光を発することが可能な複数の発光手段と、
一の前記発光手段から発せられる光を導光可能な第１導光部と、一の前記発光手段から発せられる光を導光可能な第２導光部と、を有する透光部材と、を備え、
前記第１導光部により導光され得る光を発することが可能な発光手段と前記透光部材との距離は、前記第２導光部により導光され得る光を発することが可能な発光手段と前記透光部材との距離よりも長く、
前記第１導光部は、所定方向に延在しており、
前記第２導光部における前記所定方向に沿った長さは、前記第１導光部における前記所定方向に沿った長さよりも短い、
ことを特徴とする遊技機。
【手続補正２】
【補正対象書類名】明細書
【補正対象項目名】０００２
【補正方法】変更
【補正の内容】
【０００２】
従来、発光装飾部を備え、光源の発光による演出を行うことが可能な遊技機が知られている（特許文献１参照）。
【手続補正３】
【補正対象書類名】明細書
【補正対象項目名】０００３
【補正方法】変更
【補正の内容】
【０００３】
【特許文献１】特開２０１３−０１３６８６号公報
【手続補正４】
【補正対象書類名】明細書
【補正対象項目名】０００４
【補正方法】変更
【補正の内容】
【０００４】
本発明者は、このような発光手段を備える遊技機について、鋭意検討を重ねる過程において、発光手段から発せられる光の導光に関して工夫を凝らすことにより、新たなエンターテインメント性を創出することができるのではないかという考えに至った。
【手続補正５】
【補正対象書類名】明細書
【補正対象項目名】０００５
【補正方法】変更
【補正の内容】
【０００５】
本発明は、上記のような点に鑑みてなされたものであり、発光手段を備える遊技機において新たなエンターテインメント性を創出することを目的とする。
【手続補正６】
【補正対象書類名】明細書
【補正対象項目名】０００６
【補正方法】変更
【補正の内容】
【０００６】
上記目的を達成するため、本発明は、以下の遊技機を提供する。
光を発することが可能な複数の発光手段と、
一の前記発光手段から発せられる光を導光可能な第１導光部と、一の前記発光手段から発せられる光を導光可能な第２導光部と、を有する透光部材と、を備え、
前記第１導光部により導光され得る光を発することが可能な発光手段と前記透光部材との距離は、前記第２導光部により導光され得る光を発することが可能な発光手段と前記透光部材との距離よりも長く、
前記第１導光部は、所定方向に延在しており、
前記第２導光部における前記所定方向に沿った長さは、前記第１導光部における前記所定方向に沿った長さよりも短い、
ことを特徴とする遊技機。
【手続補正７】
【補正対象書類名】明細書
【補正対象項目名】０００９
【補正方法】変更
【補正の内容】
【０００９】
本発明によれば、発光手段を備える遊技機において新たなエンターテインメント性を創出することができる。
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
自車両の周辺状況を認識する認識部と、
前記認識部により認識された周辺状況または地図情報に基づいて、前記自車両の操舵または速度のうち一方または双方を制御する運転制御部と、を備え、
前記運転制御部は、前記自車両が走行する自車走行車線から前記自車走行車線に隣接する隣接車線に前記自車両を車線変更させる車線変更制御部を備え、
前記車線変更制御部は、前記自車両の乗員による車線変更の意図が受け付けられた場合に前記運転制御部によって前記自車両を車線変更させる第１動作と、前記認識部による認識結果に基づいて前記運転制御部が車線変更を計画して前記自車両を車線変更させる第２動作とを有し、
前記第１動作の実行時に車線変更させることを中止した場合、前記自車走行車線の走行を継続させると共に、車線変更させることを中止した第１時点から距離または時間を含む第１期間内の前記第２動作による車線変更を禁止する、
車両制御装置。
【請求項２】
前記運転制御部は、前記自車両から見て、前記車線変更を中止した隣接車線とは異なる方向の別の車線へ車線変更を行う場合に、前記中止した隣接車線に車線変更する場合に比して、前記第１期間を短くする、
請求項１に記載の車両制御装置。
【請求項３】
前記運転制御部は、車線変更を中止した隣接車線とは異なる別の車線へ車線変更を行う場合に、前記第２動作による車線変更を禁止しない、
請求項１に記載の車両制御装置。
【請求項４】
前記運転制御部は、前記隣接車線に車線変更させる理由が、目的地への誘導である場合に、他の理由に比して前記第１期間を短くする、
請求項１から３のうち何れか１項に記載の車両制御装置。
【請求項５】
前記運転制御部は、前記第１動作によって、前記自車両の前記自車走行車線から前記隣接車線への車線変更を完了した場合、完了時から前記第１期間よりも短い第２期間内の前記第２動作による車線変更を禁止する、
請求項１から４のうち何れか１項に記載の車両制御装置。
【請求項６】
前記運転制御部は、前記第１動作によって、前記自車両の前記自車走行車線から前記隣接車線への車線変更を完了した場合、完了時から前記第１期間よりも短い第２期間内の前記第２動作の禁止に加えて、前記第１動作も禁止する、
請求項５に記載の車両制御装置。
【請求項７】
前記乗員の車線変更の意図を受け付ける入力インターフェースを更に備え、
前記運転制御部は、前記自車両の乗員が車線変更を計画し、前記入力インターフェースにより前記車線変更の意図が受け付けられた場合に、前記第１動作の車線変更を実行する、
請求項１から６のうち何れか１項に記載の車両制御装置。
【請求項８】
前記第２動作は、前記自車両に前記自車走行車線から前記隣接車線へ車線変更させることが可能であるか否かを判定する処理を含む、
請求項１から７のうち何れか１項に記載の車両制御装置。
【請求項９】
前記第２動作は、前記運転制御部が前記自車両の車線変更を計画した後、前記自車両の乗員による車線変更の開始指示が受け付けられた場合に前記車線変更を実行する動作と、前記運転制御部が前記自車両の車線変更を計画した後、前記自車両の乗員による指示を受け付けずに前記車線変更を実行する動作とを含む、
請求項１から８のうち何れか１項に記載の車両制御装置。
【請求項１０】
前記運転制御部は、車線変更させることを中止した理由に基づいて、前記第１期間を変更する、
請求項１から９のうち何れか１項に記載の車両制御装置。
【請求項１１】
前記運転制御部は、車線変更させることを中止した場合に、車線変更を中止した理由を前記乗員に報知する報知制御部を更に備える、
請求項１から１０のうち何れか１項に記載の車両制御装置。
【請求項１２】
前記報知制御部は、前記第２動作により車線変更させることを禁止する時間が経過した場合に、前記第２動作による車線変更が可能になったことを前記乗員に報知する、
請求項１１に記載の車両制御装置。
【請求項１３】
車載コンピュータが、
自車両の周辺状況を認識し、
認識された前記周辺状況または地図情報に基づいて、運転制御部によって前記自車両の操舵または速度のうち一方または双方を制御し、
前記自車両が走行する自車走行車線から前記自車走行車線に隣接する隣接車線に前記自車両を車線変更させ、
前記車線変更させる制御は、前記自車両の乗員による車線変更の意図が受け付けられた場合に前記運転制御部によって前記自車両を車線変更させる第１動作と、前記周辺状況の認識結果に基づいて前記運転制御部が車線変更を計画して前記自車両を車線変更させる第２動作とを有し、
前記第１動作の実行時に車線変更させることを中止した場合、前記自車走行車線の走行を継続させると共に、車線変更させることを中止した第１時点から距離または時間を含む第１期間内の前記第２動作による車線変更を禁止する、
車両制御方法。
【請求項１４】
車載コンピュータに、
自車両の周辺状況を認識させ、
認識された前記周辺状況または地図情報に基づいて、運転制御部によって前記自車両の操舵または速度のうち一方または双方を制御させ、
前記自車両が走行する自車走行車線から前記自車走行車線に隣接する隣接車線に前記自車両を車線変更させ、
前記車線変更させる制御は、前記自車両の乗員による車線変更の意図が受け付けられた場合に前記運転制御部によって前記自車両を車線変更させる第１動作と、前記周辺状況の認識結果に基づいて前記運転制御部が車線変更を計画して前記自車両を車線変更させる第２動作とを有し、
前記第１動作の実行時に車線変更させることを中止した場合、前記自車走行車線の走行を継続させると共に、車線変更させることを中止した第１時点から距離または時間を含む第１期間内の前記第２動作による車線変更を禁止させる、
プログラム。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
複数の記憶領域を有するストレージを有する画像形成装置であって、
複数のデータからなる第１ファイルのすべてのデータのうち読み出しエラーが生じたデータを除き且つ読み出しエラーが生じていないデータを少なくとも含む第２ファイルを作成する第１処理、又は、前記第１ファイルの各データを順に読み出し、読み出しエラーが生じたデータを除き且つ読み出しエラーが生じるまでに読み出すことが出来たデータから構成された第３ファイルを作成する第２処理を実行可能な実行手段を有し、
前記実行手段は、
前記複数の記憶領域のうち第１記憶領域に前記第１処理を実行中に所定の条件を満たすことによって、少なくとも前記実行手段が処理を実行していない第２記憶領域において前記第１処理を実行せずに前記第２処理を実行することを特徴とする画像形成装置。
【請求項２】
前記第１処理は、記憶領域に記憶されたファイルのデータが読み出し可能かを確認し、読み出しエラーが生じたファイルに対して前記第２ファイルを作成する処理を行うことを特徴とする請求項１に記載の画像形成装置。
【請求項３】
前記所定の条件は、前記画像形成装置のシャットダウン指示を受け付け、前記シャットダウン指示に基づいて前記画像形成装置がシャットダウンし、前記シャットダウンした後の前記画像形成装置の最初の起動を行うことであることを特徴とする請求項１又は２に記載の画像形成装置。
【請求項４】
前記画像形成装置は、前記シャットダウン指示を受け付けると、前記第１処理の完了を待たずにシャットダウンすることを特徴とする請求項３に記載の画像形成装置。
【請求項５】
前記複数の記憶領域の各々と予約情報を関連付けて記憶する不揮発性のメモリを有し、
前記実行手段は、前記所定の条件を満たすことによって、前記第２記憶領域に関連付けられた前記第１処理の予約情報を前記第２処理に変更する請求項１または２に記載の画像形成装置。
【請求項６】
前記所定の条件は、前記画像形成装置のシャットダウン指示を受け付け、前記シャットダウン指示に基づいて前記画像形成装置がシャットダウンし、前記シャットダウンした後の前記画像形成装置の最初の起動を行うことであることを特徴とする請求項５に記載の画像形成装置。
【請求項７】
前記画像形成装置は、前記シャットダウン指示を受け付けると、前記第２記憶領域に関連付けられた前記第１処理の予約情報を前記第２処理に変更した後で、シャットダウンすることを特徴とする請求項６に記載の画像形成装置。
【請求項８】
前記画像形成装置の電源のオンを検出することで、前記実行手段は、前記記憶領域に関連付けられた前記予約情報に従って前記第２処理を実行することを特徴とする請求項５乃至７のいずれか１項に記載の画像形成装置。
【請求項９】
前記第１処理は、前記第１処理の予約情報が設定された記憶領域の全てのセクタの読み出し可能か確認する処理を含むことを特徴とする請求項１乃至８のいずれか１項に記載の画像形成装置。
【請求項１０】
前記第２処理は、前記第１ファイルに記憶されたデータのうち管理情報に関する複数のデータの各データを順に読み出すことを特徴とする請求項１乃至９のいずれか１項に記載の画像形成装置。
【請求項１１】
前記複数の記憶領域のうち前記第１記憶領域に前記第１処理を実行中に前記所定の条件を満たすことによって、前記第１処理を停止し、前記第２処理を実行することを特徴とする請求項１乃至１０のいずれか１項に記載の画像形成装置。
【請求項１２】
複数の記憶領域を有するストレージと、複数のデータからなる第１ファイルのすべてのデータのうち読み出しエラーが生じたデータを除き且つ読み出しエラーが生じていないデータを少なくとも含む第２ファイルを作成する第１処理、又は、前記第１ファイルの各データを順に読み出し、読み出しエラーが生じたデータを除き且つ読み出しエラーが生じるまでに読み出すことが出来たデータから構成された第３ファイルを作成する第２処理を実行可能な実行手段と、を有する画像形成装置の制御方法であって、
前記複数の記憶領域のうち第１記憶領域に前記第１処理を実行するステップと、
前記第１記憶領域に前記第１処理を実行中に所定の条件を満たすことによって、少なくとも前記実行手段が処理を実行していない第２記憶領域において前記第１処理を実行せずに前記第２処理を実行するステップと、を有することを特徴とする画像形成装置。
【請求項１３】
請求項１２に記載の制御方法を、コンピュータに実行させるためのプログラム。
【手続補正２】
【補正対象書類名】明細書
【補正対象項目名】００１１
【補正方法】変更
【補正の内容】
【００１１】
本発明は、複数の記憶領域を有するストレージを有する画像形成装置であって、複数のデータからなる第１ファイルのすべてのデータのうち読み出しエラーが生じたデータを除き且つ読み出しエラーが生じていないデータを少なくとも含む第２ファイルを作成する第１処理、又は、前記第１ファイルの各データを順に読み出し、読み出しエラーが生じたデータを除き且つ読み出しエラーが生じるまでに読み出すことが出来たデータから構成された第３ファイルを作成する第２処理を実行可能な実行手段を有し、前記実行手段は、前記複数の記憶領域のうち第１記憶領域に前記第１処理を実行中に所定の条件を満たすことによって、少なくとも前記実行手段が処理を実行していない第２記憶領域において前記第１処理を実行せずに前記第２処理を実行することを特徴とする。